(57)【要約】【課題】本発明は、３６０度回転でき、且つ回転回数を制限しなく、明るさを必要とする領域に照明光線を集中することができ、簡単に取り外したり取り付けたりすることができる発光ダイオードランプを提供することを目的とする。【解決手段】本発明に係る発光ダイオードランプは、ランプ本体及びランプヘッドを備える。ランプ本体は、複数の発光ダイオードが設置されている少なくとも１つの印刷回路板と、ランプカバーと、外部フレームと、第一電極及び第二電極を有する第一連接部が設置されている回転ホルダと、を備える。ランプヘッドは、第三電極及び第四電極を有する第二連接部が設置されている電源ホルダと、接続部と、備える。第一連接部は、第二連接部内に挿入されて第二連接部と緊密に係合し、且つ第二連接部に対して３６０度相対的に回転することができ、第一電極と第三電極とが接触し、第二電極と第四電極とが接触する。【選択図】図１
2010192445.tif 000002
【特許請求の範囲】
【請求項１】
１つの表面に複数の発光ダイオードが設置されている少なくとも１つの印刷回路板と、前記複数の発光ダイオードを覆うランプカバーと、前記ランプカバーと結合して前記少なくとも１つの印刷回路板を内部に固定する外部フレームと、前記ランプカバーと前記外部フレームを結合固定するように前記ランプカバー及び前記外部フレームの側辺に位置し、第一電極及び第二電極を有し且つ前記ランプカバーとは反対の側へ突出する円柱体である第一連接部が設置されている回転ホルダと、を備えるランプ本体と、
第三電極及び第四電極を有し且つ円柱状凹みである第二連接部が設置されている電源ホルダと、前記電源ホルダの前記第二連接部に相対する一端に固定接続する接続部と、備えるランプヘッドと、
を備えてなる発光ダイオードランプであって、
前記第一連接部は、前記第二連接部内に挿入されて前記第二連接部と緊密に係合し、且つ前記第二連接部に対して３６０度相対的に回転することができ、前記第一電極と前記第三電極とが接触し、前記第二電極と前記第四電極とが接触することを特徴とする発光ダイオードランプ。
【請求項２】
前記印刷回路板と前記外部フレームとの間には、複数の放熱フィンを有する放熱モジュールが設置されることを特徴とする請求項１に記載の発光ダイオードランプ。
【請求項３】
前記外部フレームには、開口が開設されることを特徴とする請求項２に記載の発光ダイオードランプ。
【請求項４】
前記印刷回路板の数量は複数であって、前記複数の印刷回路板は順次に接続して、隣り合う２つの印刷回路板の間に夾角を形成することを特徴とする請求項１に記載の発光ダイオードランプ。
【請求項５】
前記第一電極と前記第二電極は全て前記第一連接部の側壁を取巻き、前記第三電極と前記第四電極は全て前記第二連接部の側壁を取巻くことを特徴とする請求項１に記載の発光ダイオードランプ。
【請求項６】
前記第一電極は前記第一連接部の側壁を取巻き、前記第二電極は前記第一連接部の端部に位置し、前記第三電極は前記第二連接部の側壁を取巻き、前記第四電極は前記第二連接部の底部に位置することを特徴とする請求項１に記載の発光ダイオードランプ。
【発明の詳細な説明】
【技術分野】
【０００１】
本発明は、発光ダイオードランプに関するものであって、特に３６０度回転できる発光ダイオードランプに関するものである。
【背景技術】
【０００２】
目下、発光ダイオード（Ｌｉｇｈｔ  Ｅｍｉｔｔｉｎｇ  Ｄｉｏｄｅ，ＬＥＤ）は、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）を代わって照明装置の発光素子として、交通指揮ランプ、室内照明ランプなどに広く応用される。
【０００３】
一種の発光ダイオードランプは、発光ダイオードモジュールを挟まる２つの半円形の支持ホルダを備えるため、前記発光ダイオードモジュールは有限の角度範囲内で回転できる。しかし、複数の発光ダイオードが前記発光ダイオードモジュールの本体の周囲に均一に分布されるため、前記複数の発光ダイオードからの光線が八方へ散乱し、使用者が１つの方向の照明を必要とする時、光線の一部を浪費する。なお、前記発光ダイオードランプの回転モジュールの部品は種類が多く、製造コストも高い。又、前記発光ダイオードランプの発光ダイオードモジュールを容易に取り換えることができないため、使用が不便である（特許文献１を参照）。
【０００４】
他の種類の回転できる発光ダイオードランプは、照射方向を１６０度調整することができる。しかし、印刷回路板の両面に全て発光ダイオードが設置されるため、その照射方向は別々に前方と後方を指向し、使用者が１つの方向の照明を必要とする時、光線の一部を浪費する。なお、前記発光ダイオードランプの使用時間が長ければ長いほど、温度も高くなるが、放熱装置を設置しなかったので、前記発光ダイオードランプの寿命を短縮する。又、回転角度が１６０度のみであるため、回転死角が生じる。又、前記発光ダイオードランプを随時に容易に取り外すことができないため、使用が不便である（特許文献２を参照）。
【先行技術文献】
【特許文献】
【０００５】
【特許文献１】米国特許第５９２１６６０号明細書
【特許文献２】米国特許第５７２６５３５号明細書
【発明の開示】
【発明が解決しようとする課題】
【０００６】
本発明の目的は、前記課題を解決し、３６０度回転でき、且つ回転回数を制限しなく、明るさを必要とする領域に照明光線を集中することができ、簡単に取り外したり取り付けたりすることができる発光ダイオードランプを提供することである。
【課題を解決するための手段】
【０００７】
本発明に係る発光ダイオードランプは、ランプ本体及びランプヘッドを備える。前記ランプ本体は、１つの表面に複数の発光ダイオードが設置されている少なくとも１つの印刷回路板と、前記複数の発光ダイオードを覆うランプカバーと、前記ランプカバーと結合して前記少なくとも１つの印刷回路板を内部に固定する外部フレームと、前記ランプカバーと前記外部フレームを結合固定するように前記ランプカバー及び前記外部フレームの側辺に位置し、第一電極及び第二電極を有し且つ前記ランプカバーとは反対の側へ突出する円柱体へ突出する円柱体である第一連接部が設置されている回転ホルダと、を備える。前記ランプヘッドは、第三電極及び第四電極を有し且つ円柱状凹みである第二連接部が設置されている電源ホルダと、前記電源ホルダの前記第二連接部に相対する一端に固定接続する接続部と、備える。前記第一連接部は、前記第二連接部内に挿入されて前記第二連接部と緊密に係合し、且つ前記第二連接部に対して３６０度相対的に回転することができ、前記第一電極と前記第三電極とが接触し、前記第二電極と前記第四電極とが接触する。
【発明の効果】
【０００８】
本発明に係わる発光ダイオードランプは、独立のランプ本体及びランプヘッドを有し、接続部を介して前記ランプヘッドをランプホルダに装着し、第一連接部を第二連接部内に挿入して緊密に係合することにより、前記ランプ本体を前記ランプヘッドに装着するため、前記発光ダイオードランプを簡単に取り外したり取り付けたりすることができ、前記第一連接部が前記第二連接部に対して相対的に回転する場合、前記第一連接部の第一電極と前記第二連接部の第三電極は依然として接触状態を維持し、前記第一連接部の第二電極と前記第二連接部の第四電極は依然として接触状態を維持するため、電流を中断しなく、前記ランプ本体を前記ランプヘッドに対して何回も３６０度相対的に回転することができ、従って発光ダイオードの照射方向を調整して、明るさを必要とする領域に照明光線を集中する。
【図面の簡単な説明】
【０００９】
【図１】本発明の第一実施形態に係る発光ダイオードランプの分解図である。
【図２】本発明の第一実施形態に係る発光ダイオードランプの組立図である。
【図３】本発明の第二実施形態に係る発光ダイオードランプの組立図である。
【図４】本発明の第三実施形態に係る発光ダイオードランプの分解図である。
【図５】本発明の第四実施形態に係る発光ダイオードランプの分解図である。
【発明を実施するための最良の形態】
【００１０】
以下、図面を参照して、本発明の実施形態について説明する。
【００１１】
図１を参照すると、本発明の第一実施形態に係わる発光ダイオードランプＬ０１は、ランプ本体１及びランプヘッド２を備える。前記ランプ本体１は、回転ホルダ１１と、外部フレーム１２と、印刷回路板１４と、ランプカバー１５と、を備える。前記ランプヘッド２は、電源ホルダ２１及び接続部２２を備える。前記印刷回路板１４の１つの表面には、複数の発光ダイオード１４１が設置されている。前記ランプカバー１５は、透明又は半透明の材質からなり、前記印刷回路板１４の前記発光ダイオード１４１を有する片側に位置し、且つ前記印刷回路板１４を覆う。前記外部フレーム１２と前記ランプカバー１５が結合して前記印刷回路板１４を内部に固定される。前記発光ダイオード１４１の使用寿命を延長するために、前記印刷回路板１４と前記外部フレーム１２との間に複数の放熱フィン１３１を有する放熱モジュール１３を設置する。前記放熱モジュール１３は、前記印刷回路板１４の他の１つの表面に緊密に貼り合わせられており、且つ前記放熱モジュール１３と前記印刷回路板１４との間には放熱クリーム（図示せず）が塗布される。前記外部フレーム１２には、開口１２１が開設されているため、前記放熱フィン周囲の空気の対流効果を強めて、放熱効率を高め、さらに前記印刷回路板１４及び前記発光ダイオード１４１の作動温度を下げる。前記回転ホルダ１１は、前記外部フレーム１２及び前記ランプカバー１５の側辺に位置し、前記外部フレーム１２と前記ランプカバー１５を結合固定する。前記回転ホルダ１１は、前記ランプカバーとは反対の側へ突出する円柱体突出する円柱体である第一連接部１１１を有する。前記電源ホルダ２１は、内側へ凹む円柱状凹みである第二連接部２１１を有する。前記接続部２２は、前記電源ホルダ２１の前記第二連接部２１１に相対する一端に固定接続する。前記接続部２２の外側には、ランプホルダに螺合するためのねじ山２２１が設置される。
【００１２】
図２を一緒に参照すると、前記第一連接部１１１は、前記第一連接部１１１の側壁を取巻く第一電極１１１Ａと、前記第一連接部１１１の端部に位置する第二電極１１１Ｂと、を備える。前記第二連接部２１１は、前記第二連接部２１１の側壁を取巻く第三電極２１１Ａと、前記第二連接部２１１の底部に位置する第四電極２１１Ｂと、を備える。前記第一電極１１１Ａと前記第三電極２１１Ａの極性は同じであって、前記第二電極１１１Ｂと前記第四電極２１１Ｂの極性は同じであって、前記第一電極１１１Ａと前記第二電極１１１Ｂの極性は相反する。
【００１３】
前記発光ダイオードランプＬ０１を組み立てる時、前記ランプ本体１の第一連接部１１１を前記ランプヘッド２の第二連接部２１１に挿入して緊密に係合してから、前記接触部２２のねじ山２２１によって、前記ランプヘッド２をランプホルダに螺合する。本実施形態において、前記第一電極１１１Ａ及び前記第三電極２１１Ａは全て環状であって、前記第二電極１１１Ｂ及び前記第四電極２１１Ｂはそれぞれ前記第一連接部１１１の端部及び前記第二連接部２１１の底部に位置するため、前記第一連接部１１１が前記第二連接部２１１に対して相対的に回転する場合、前記第一電極１１１Ａと前記第三電極２１１Ａは依然として接触状態を維持し、前記第二電極１１１Ｂと前記第四電極２１１Ｂも依然として接触状態を維持して、電流を中断しない。だから、本実施形態に係る発光ダイオードランプＬ０１を使う時、前記ランプ本体１を前記ランプヘッド２に対して何回も３６０度相対的に回転することができ、前記発光ダイオード１４１の照射方向を調整して、明るさを必要とする領域に照明光線を集中する。
【００１４】
図３を参照すると、本発明の第二実施形態に係わる発光ダイオードランプＬ０２は、ランプ本体３及びランプヘッド４を備える。前記ランプ本体３は、回転ホルダ３１と、外部フレーム３２と、ランプカバー３５と、を備える。前記ランプヘッド４は、電源ホルダ４１及び接触部４２を備える。前記回転ホルダ３１は、第一連接部３１１を有し、前記電源ホルダ４１は、第二連接部４１１を有する。前記第一連接部３１１は、前記第一連接部３１１の側壁を取巻く第一電極３１１Ａ及び第二電極３１１Ｂを備える。前記第二連接部４１１は、前記第二連接部４１１の側壁を取巻く第三電極４１１Ａ及び第四電極４１１Ｂを備える。前記第一電極３１１Ａと前記第三電極４１１Ａの極性は同じであって、前記第二電極３１１Ｂと前記第四電極４１１Ｂの極性は同じであって、前記第一電極３１１Ａと前記第二電極３１１Ｂの極性は相反する。本実施形態において、前記第一電極１１１Ａ、前記第二電極３１１Ｂ、前記第三電極４１１Ａ及び前記第四電極４１１Ｂは、全て環状であるため、前記第一連接部３１１が前記第二連接部４１１に対して相対的に回転する場合、前記第一電極３１１Ａと前記第三電極４１１Ａは依然として接触状態を維持し、前記第二電極３１１Ｂと前記第四電極４１１Ｂも依然として接触状態を維持して、電流を中断しない。だから、本実施形態に係る発光ダイオードランプＬ０２を使う時、前記ランプ本体３を前記ランプヘッド４に対して何回も３６０度相対的に回転することができる。
【００１５】
図４を参照すると、本発明の第三実施形態に係わる発光ダイオードランプＬ０３は、２つの印刷回路板１４’を備え、他の部品は、前記第一実施形態に係わる発光ダイオードランプＬ０１と同じであるため、詳しい説明を省略する。前記２つの印刷回路板１４’が接続して所定角度の夾角を形成するため、前記２つの印刷回路板１４’の発光ダイオード１４１の照射方向が異なって、前記発光ダイオードランプＬ０３は広い面積を照射できる。なお、前記印刷回路板１４’の数量を増加すると、前記発光ダイオード１４１の数量も多くなり、従って照明輝度も高くなる。
【００１６】
図５を参照すると、本発明の第四実施形態に係わる発光ダイオードランプＬ０４は、３つの印刷回路板１４’’を備え、他の部品は、前記第一実施形態に係わる発光ダイオードランプＬ０１と同じであるため、詳しい説明を省略する。前記３つの印刷回路板１４’’が順次に接続し、隣り合う２つの印刷回路板１４’’との間に所定角度の夾角を形成するため、前記発光ダイオードランプＬ０４はさらに広い面積を照射できる。
【００１７】
上述したように、印刷回路板の数量を増加することにより、発光ダイオードランプの照射範囲を増大する。
【００１８】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００１９】
Ｌ０１，Ｌ０２，Ｌ０３，Ｌ０４  発光ダイオードランプ
１，１’，１’’，３  ランプ本体
２，４  ランプヘッド
１１，３１  回転ホルダ
１２，３２  外部フレーム
１３  放熱モジュール
１４，１４’，１４’’  印刷回路板
１５，３５  ランプカバー
２１，４１  電源ホルダ
２２，４２  接触部
１１１，３１１  第一連接部
１２１  開口
１３１  放熱フィン
１４１  発光ダイオード
２１１，４１１  第二連接部
２２１，４２１  ねじ山
１１１Ａ  第一電極
１１１Ｂ  第二電極
２１１Ａ  第三電極
２１１Ｂ  第四電極
【図１】
2010192445.tif 000003
【図２】
2010192445.tif 000004
【図３】
2010192445.tif 000005
【図４】
2010192445.tif 000006
【図５】
2010192445.tif 000007